(57)【要約】【課題】炊飯器本体の上部を覆う蓋の開閉検知機能を有する炊飯器において、蓋開中および蓋閉操作時に誤って操作手段が操作されるのを防止するとともに、使用者が意図して操作をする際には余計な報知を行うことなく操作を受け付けるようにする。【解決手段】鍋３１を加熱する加熱手段３３に供給する電力を制御手段３７により制御し、使用者が所望の指示をする操作手段４３を蓋に配置する。制御手段３７は、蓋開閉検知手段３６から蓋が開いた状態である出力信号を入力しているときと、蓋が閉じた状態である出力信号を入力してから第１の所定時間の間、操作手段４３から出力された信号を入力しても、一度目はその信号による本来の動作を行わずに受け付けない旨を音により報知動作する報知手段４０により報知し、一度目の信号入力から第２の所定時間の間に二度目の信号が入力された場合には、その信号による本来の動作を行うよう構成する。【選択図】図１
2010194019.tif 000002
【特許請求の範囲】
【請求項１】
炊飯器本体の上部を覆う蓋と、前記炊飯器本体内に着脱自在に収納される鍋と、前記鍋を加熱する加熱手段と、前記加熱手段に供給する電力を制御する制御手段と、前記蓋に配置し使用者が所望の指示をする操作手段と、前記蓋の開閉検知を行う蓋開閉検知手段と、音により報知動作をする報知手段とを備え、前記制御手段は、前記蓋開閉検知手段から前記蓋が開いた状態である出力信号を入力しているときと、前記蓋が閉じた状態である出力信号を入力してから第１の所定時間の間、前記操作手段から出力された信号を入力しても、一度目はその信号による本来の動作を行わずに受け付けない旨を前記報知手段により報知し、一度目の信号入力から第２の所定時間の間に二度目の信号が入力された場合には、その信号による本来の動作を行うよう構成した炊飯器。
【請求項２】
蓋以外に配置し使用者が所望の指示をする第２の操作手段を備え、制御手段は、操作手段、第２の操作手段の少なくともいずれか一方の特定の操作により、第１の所定時間、第２の所定時間の少なくともいずれかを任意に変更可能とした請求項１記載の炊飯器。
【請求項３】
制御手段は、第２の所定時間の間に二度目以降の操作手段から出力された信号が入力された場合には、その信号による本来の動作を行った後、第３の所定時間の間、前記操作手段から出力された信号による本来の動作を行うようにした請求項１記載の炊飯器。
【請求項４】
蓋以外に配置し使用者が所望の指示をする第２の操作手段を備え、制御手段は、操作手段、第２の操作手段の少なくともいずれか一方の特定の操作により、第２の所定時間、第３の所定時間の少なくともいずれかを任意に変更可能とした請求項３記載の炊飯器。
【請求項５】
炊飯器本体の上部を覆う蓋と、前記炊飯器本体内に着脱自在に収納される鍋と、前記鍋を加熱する加熱手段と、前記加熱手段に供給する電力を制御する制御手段と、前記蓋に配置し使用者が所望の指示をする操作手段と、前記蓋の開閉検知を行う蓋開閉検知手段と、音により報知動作をする報知手段とを備え、前記制御手段は、前記蓋開閉検知手段から前記蓋が開いた状態である出力信号を入力しているときと、前記蓋が閉じた状態である出力信号を入力してから第１の所定時間の間、前記操作手段から出力された信号を入力しても、その信号による本来の動作を行わずに受け付けない旨を前記報知手段により報知するとともに、前記操作手段または蓋以外に配置した第２の操作手段の少なくともいずれか一方を特定の操作を行った場合は、前記特定の操作を行った後、第４の所定時間の間、前記操作手段から出力された信号で本来の動作を行うよう構成した炊飯器。
【請求項６】
制御手段は、操作手段、第２の操作手段の少なくともいずれか一方の特定の操作により、第１の所定時間、第４の所定時間の少なくともいずれかを任意に変更可能とした請求項５記載の炊飯器。
【発明の詳細な説明】
【技術分野】
【０００１】
本発明は、炊飯器本体の上部を覆う蓋の開閉検知機能を有する炊飯器に関するものである。
【背景技術】
【０００２】
従来、この種の炊飯器としては、蓋開検知中および蓋閉検知直後の一定期間すべてまたは特定の操作を受け付けないようにしたり、報知するようにした炊飯器がある（例えば、特許文献１、特許文献２、特許文献３、特許文献４参照）。
【特許文献１】特開２０００−２６２３９９号公報
【特許文献２】特開平１１−０５６６２４号公報
【特許文献３】特開平０２−０９２３１３号公報
【特許文献４】特開昭６３−１５８０１７号公報
【発明の開示】
【発明が解決しようとする課題】
【０００３】
しかしながら、このような従来の炊飯器では、蓋開検知中および蓋閉検知直後の一定期間のすべてまたは特定の操作を受け付けないため、使用者が蓋開検知中および蓋閉検知直後の一定期間に意図して操作する場合にも操作を受け付けないということがあった。
【０００４】
また、蓋開中の開始操作で報知のみ行うような炊飯器もあるが、意図して操作する場合に報知がわずらわしくなったり、誤って取り消しなどの操作を行ってしまうことがあった。
【０００５】
本発明は上記従来の課題を解決するもので、蓋開中および蓋閉操作時に誤って操作手段が操作されるのを防止するとともに、使用者が意図して操作をする際には余計な報知を行うことなく操作を受け付けるようにすることを目的としている。
【課題を解決するための手段】
【０００６】
本発明は上記目的を達成するために、炊飯器本体の上部を蓋で覆い、炊飯器本体内に着脱自在に収納される鍋を加熱手段により加熱し、加熱手段に供給する電力を制御手段により制御し、使用者が所望の指示をする操作手段を蓋に配置し、蓋開閉検知手段により蓋の開閉検知を行い、報知手段により音による報知動作をするよう構成し、制御手段は、蓋開閉検知手段から蓋が開いた状態である出力信号を入力しているときと、蓋が閉じた状態である出力信号を入力してから第１の所定時間の間、操作手段から出力された信号を入力しても、一度目はその信号による本来の動作を行わずに受け付けない旨を報知手段により報知し、一度目の信号入力から第２の所定時間の間に二度目の信号が入力された場合には、その信号による本来の動作を行うよう構成したものである。
【０００７】
これにより、蓋開中および蓋閉操作時に誤って操作手段が操作されるのを防止することができるとともに、使用者が意図して操作手段を操作する際には余計な報知を行うことなく。操作を受け付けるようにできる。
【発明の効果】
【０００８】
本発明の炊飯器は、蓋開中および蓋閉操作時に誤って操作手段が操作されるのを防止することができるとともに、使用者が意図して操作手段を操作する際には余計な報知を行うことなく、操作を受け付けるようにできる。
【発明を実施するための最良の形態】
【０００９】
第１の発明は、炊飯器本体の上部を覆う蓋と、前記炊飯器本体内に着脱自在に収納される鍋と、前記鍋を加熱する加熱手段と、前記加熱手段に供給する電力を制御する制御手段と、前記蓋に配置し使用者が所望の指示をする操作手段と、前記蓋の開閉検知を行う蓋開閉検知手段と、音により報知動作をする報知手段とを備え、前記制御手段は、前記蓋開閉検知手段から前記蓋が開いた状態である出力信号を入力しているときと、前記蓋が閉じた状態である出力信号を入力してから第１の所定時間の間、前記操作手段から出力された信号を入力しても、一度目はその信号による本来の動作を行わずに受け付けない旨を前記報知手段により報知し、一度目の信号入力から第２の所定時間の間に二度目の信号が入力された場合には、その信号による本来の動作を行うよう構成したものであり、一度目の操作手段からの信号による報知で、蓋開中あるいは、蓋閉直後の操作であることを認識した上で、使用者が意図してさらに操作を行う場合には、余計な報知を行うことなく、その操作に従った動作をすることができる。
【００１０】
第２の発明は、上記第１の発明において、蓋以外に配置し使用者が所望の指示をする第２の操作手段を備え、制御手段は、操作手段、第２の操作手段の少なくともいずれか一方の特定の操作により、第１の所定時間、第２の所定時間の少なくともいずれかを任意に変更可能としたものであり、第１の所定時間、第２の所定時間の少なくともいずれかを変更することで、より使用者の好みや実態にあった状態に設定することができる。
【００１１】
第３の発明は、上記第１の発明において、制御手段は、第２の所定時間の間に二度目以降の操作手段から出力された信号が入力された場合には、その信号による本来の動作を行った後、第３の所定時間の間、前記操作手段から出力された信号による本来の動作を行うようにしたものであり、さらに続けて操作を行う場合にも、余計な報知を行うことなく、その操作に従った動作をすることができる。
【００１２】
第４の発明は、上記第３の発明において、蓋以外に配置し使用者が所望の指示をする第２の操作手段を備え、制御手段は、操作手段、第２の操作手段の少なくともいずれか一方の特定の操作により、第２の所定時間、第３の所定時間の少なくともいずれかを任意に変更可能としたものであり、第２の所定時間、第３の所定時間の少なくともいずれかを変更することで、より使用者の好みや実態にあった状態に設定することができる。
【００１３】
第５の発明は、炊飯器本体の上部を覆う蓋と、前記炊飯器本体内に着脱自在に収納される鍋と、前記鍋を加熱する加熱手段と、前記加熱手段に供給する電力を制御する制御手段と、前記蓋に配置し使用者が所望の指示をする操作手段と、前記蓋の開閉検知を行う蓋開閉検知手段と、音により報知動作をする報知手段とを備え、前記制御手段は、前記蓋開閉検知手段から前記蓋が開いた状態である出力信号を入力しているときと、前記蓋が閉じた状態である出力信号を入力してから第１の所定時間の間、前記操作手段から出力された信号を入力しても、その信号による本来の動作を行わずに受け付けない旨を前記報知手段により報知するとともに、前記操作手段または蓋以外に配置した第２の操作手段の少なくともいずれか一方を特定の操作を行った場合は、前記特定の操作を行った後、第４の所定時間の間、前記操作手段から出力された信号で本来の動作を行うよう構成したものであり、蓋開閉検知手段から蓋が開いた状態である出力信号を入力しているときと、蓋が閉じた状態である出力信号を入力してから第１の所定時間の間、操作手段から出力された信号を入力してもその信号による本来の動作を行わずに受け付けない旨を報知手段により報知するとともに、蓋開中に使用者が初めから意図して常の操作でない特定の操作をした後、第４の所定時間以内に操作手段から出力された信号を入力した場合には、音による余計な報知を行うことなく、その操作に従った動作をすることができる。
【００１４】
第６の発明は、上記第５の発明において、制御手段は、操作手段、第２の操作手段の少
なくともいずれか一方の特定の操作により、第１の所定時間、第４の所定時間の少なくともいずれかを任意に変更可能としたものであり、第１の所定時間、第４の所定時間の少なくともいずれかを変更することで、より使用者の好みや実態にあった状態に設定することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における炊飯器のブロック図を示し、図２は、同炊飯器の断面図を示し、図３は、同炊飯器の蓋の要部拡大上面図を示し、図４は、同炊飯器の蓋開閉検知手段の断面図を示すものである。
【００１７】
図１に示すように、鍋３１は米と水を入れ、炊飯器本体４４（図２参照）に着脱自在に収納し、インバータ３２により駆動される加熱コイルからなる加熱手段３３により加熱するようにしている。鍋センサー３４は、鍋３１の底の温度を検知するもので、蓋センサー３５は炊飯器本体４４の上部を覆う蓋４６（図２参照）の温度を検知するものである。また、蓋開閉検知手段３６は、蓋４６の開閉状態を検知するものである。
【００１８】
制御手段３７は、鍋センサー３４の出力と蓋センサー３５の出力とを入力し、鍋３１内の米と水の量，すなわち炊飯量を判定する炊飯量判定手段３８と、この炊飯量判定手段３８の出力により加熱手段３３の加熱出力を決定し、鍋センサー３４の出力と蓋センサー３５の出力を入力して炊飯シーケンスに基づいてインバータ３２を制御して加熱手段３３の加熱出力を制御する炊飯制御手段４１と、炊飯シーケンスを記憶する記憶手段４２とで構成している。表示手段３９は炊飯器の状態や異常等を表示するものであり、報知手段４０は、炊飯器本体４４の動作や設定の状態や操作手段４３からの信号の受付状態や炊飯器の異常等を音により報知するものである。
【００１９】
操作手段４３は、蓋４６に配置し使用者が意図して指示をするもので、炊飯を開始する信号を制御手段３７に出力し、記憶手段４２に記憶されている炊飯シーケンスを選択したり、炊飯動作等の動作を取り消す指示をしたりするものである。
【００２０】
つぎに、図２に示すように、炊飯器本体４４は上面が開口しており、この炊飯器本体４４内に米と水を入れる鍋３１を着脱自在に収納している。この炊飯器本体４４の内部に鍋３１を加熱する加熱コイルからなる加熱手段３３と、加熱手段３３を駆動するインバータ３２を搭載したインバータ基板４５を配設している。この加熱手段３３の中央部に鍋３１の温度を検知する鍋センサー３４を配設している。蓋４６は炊飯器本体４４の上面開口部を開閉自在に覆っており、この蓋４６は上枠４７の上部に一体成形されたヒンジ部材４８にピン４９を介して回転自在に支持している。
【００２１】
蓋４６に放熱板５０を固定しており、この放熱板５０に鍋３１内の温度を検知する蓋センサー３５を密着するように取り付けている。また、蓋４６内には制御基板５１を配設している。この制御基板５１は制御手段３７を構成するマイクロコンピュータ５２と炊飯器の状態を表示するＬＣＤ５３と報知手段４０を構成するブザー５４を搭載するとともに、操作手段４３を搭載している。さらに、蓋４６内にはフロート５６とフロート検知５７とからなる蓋開閉検知手段３６を配設している。
【００２２】
つぎに、図３に示すように、蓋４６の上面前方には、表示手段３９である現在時刻や選択されている保温コースや新米度や炊飯メニューおよび蓋４６の開閉状態等を表示するＬＣＤ５３と、操作手段４３を構成する炊飯開始のための炊飯キー５８と、予約炊飯を行う
ための予約キー５９と、保温を開始するための保温キー６０と、炊飯や保温を取り消す取り消しキー６１と、保温の温度を選択する保温コースキー６２と、米の状態に合わせて最適な炊飯シーケンスを選択するための新米度キー６３と、炊飯メニューを選択するためのメニューキー６４と、ＬＣＤ５３に表示している時刻を変更するための時キー６５及び分キー６６とを配置している。
【００２３】
つぎに、図４に示すように、蓋開閉検知手段３６は、フロート５６とフロート検知部５７とで構成しており、フロート５６は球状のマグネットであり、フロート検知部５７はフロート５６の磁気により接点を開閉するリードスイッチである。フロート５６は傾斜のある溝６７上に乗っているため、蓋４６が閉じた状態ではフロート５６がフロート検知部５７側に移動し、逆に蓋４６が開いた状態ではフロート５６がフロート検知部５７と反対側に移動する。このフロート５６の移動によりフロート検知部５７への磁気の影響が変わるためフロート検知部５７の接点が開閉し、蓋４６の開閉検知が可能となるのである。
【００２４】
ここで、制御手段３７は、蓋開閉検知手段３６から蓋４６が開いた状態である出力信号を入力しているときと、蓋４６が閉じた状態である出力信号を入力してから第１の所定時間（例えば、０．３秒）の間、操作手段４３から出力された信号を入力しても、一度目はその信号による本来の動作を行わずに受け付けない旨を報知手段４０により報知し、一度目の信号入力から第２の所定時間（例えば、２秒）の間に二度目の信号が入力された場合には、その信号による本来の動作を行うよう構成している。
【００２５】
上記構成において動作を説明する。制御手段３７は、蓋開閉検知手段３６であるフロート検知部５７から蓋４６が開いた状態である出力信号を入力しているときと、閉じた状態である出力信号を入力してから第１の所定時間（０．３秒）以内のときは、蓋４６上面にある操作手段４３である炊飯キー５８と、予約キー５９と、保温キー６０と、取り消しキー６１と、保温コースキー６２と、新米度キー６３と、メニューキー６４と、時キー６５および分キー６６から出力された信号を入力してもその信号を受け付けずに炊飯器の状態を変更せず、報知手段４０であるブザー５４で通常の操作音と異なる音で蓋開中の操作であることを報知する。蓋開中の操作であることを報知した後、第２の所定時間（２秒）以内に、前回と同じキーから出力された信号を入力した場合には、その信号を受け付け、炊飯器の状態を変更する。
【００２６】
このように本実施の形態によれば、蓋４６を開けて米と水を入れた鍋３１を炊飯器本体４４内に収納した後、蓋４６を閉めるときに、当然蓋４６の上面前方部を押さえる必要があるが、そのとき、たまたま指が炊飯キー５８にかかってしまっても、炊飯キー５８が押されたことを制御手段３７は受け付けないので炊飯を開始しない。そして、このとき、報知手段４０であるブザー５４で通常の操作音と異なる音で蓋開中の操作であることを認識した上で、炊飯を開始させたい場合には、第２の所定時間以内に再度炊飯キー５８を押すことにより炊飯を開始することができる。したがって、蓋４６の上面前方に操作手段４３があっても、蓋４６を閉める際に誤って操作手段４３を押してしまっても誤操作を防止することができるとともに、蓋４６が開いているとき、あるいは蓋４６を閉める際の操作であったことを認識した上で使用者が操作をする場合には、第２の所定時間（２秒）以内に再度同じキーを押すことにより、その操作を受け付けることができる。
【００２７】
また、第２の所定時間の制限を設けることで、次回の炊飯開始時などの蓋開閉を含めた操作の際に誤って操作するのを防止することができる。
【００２８】
以上のように、本実施の形態においては、制御手段３７は、蓋開閉検知手段３６から蓋４６が開いた状態である出力信号を入力しているときと、蓋４６が閉じた状態である出力信号を入力してから第１の所定時間（０．３秒）の間、操作手段４３から出力された信号
を入力しても、一度目はその信号による本来の動作を行わずに受け付けない旨を報知手段４０により報知し、一度目の信号入力から第２の所定時間（２秒）の間に二度目の信号が入力された場合には、その信号による本来の動作を行うよう構成したので、一度目の操作手段４３からの信号による報知で、蓋開中あるいは、蓋閉直後の操作であることを認識した上で、使用者が意図してさらに操作を行う場合には、余計な報知を行うことなく、その操作に従った動作をすることができる。
【００２９】
なお、本実施の形態では、蓋４６が開いているとき、あるいは蓋４６を閉める際の一度目の操作を炊飯キー５８とし、二度目の操作も同じ炊飯キー５８としているが、必ずしも同じである必要はないことは明らかである。
【００３０】
また、本実施の形態では、第１の所定時間は０．３秒で一定としているが、操作手段４３の特定の操作、例えば、予約キー５９を１０秒押し続けることで、制御手段３７は第１の所定時間を０．５秒に変更できるようにしてもよく、また、第２の所定時間は２秒で一定としているが、操作手段４３の特定の操作、例えば、保温キー６０を１０秒押し続けることで、制御手段３７は第２の所定時間を５秒に変更できるようにしてもよい。これにより、第１の所定時間、第２の所定時間の少なくともいずれかを変更することで、より使用者の好みや実態にあった状態に設定することができる。
【００３１】
また、予約キー５９、保温キー６０は蓋４６の上面前方に配置しているが、蓋４６以外の炊飯器本体４４の前方側面に設けてもよい。
【００３２】
（実施の形態２）
図１に示す制御手段３７は、第２の所定時間（例えば、２秒）の間に二度目以降の操作手段４３から出力された信号が入力された場合には、その信号による本来の動作を行った後、第３の所定時間（例えば、１分）の間、操作手段４３から出力された信号による本来の動作を行うようにしている。他の構成は上記実施の形態１と同じである。
【００３３】
上記構成において動作を説明する。制御手段３７は、蓋開閉検知手段３６であるフロート検知部５７から蓋４６が開いた状態である出力信号を入力しているときと、閉じた状態である出力信号を入力してから第１の所定時間（０．３秒）以内のときは、蓋４６上面にある操作手段４３を構成する炊飯キー５８と、予約キー５９と、保温キー６０と、取り消しキー６１と、保温コースキー６２と、新米度キー６３と、メニューキー６４と、時キー６５および分キー６６から出力された信号を入力してもその信号を受け付けずに炊飯器の状態を変更せず、報知手段４０であるブザー５４で通常の操作音と異なる音で蓋開中の操作であることを報知する。蓋開中の操作であることを報知した後、第２の所定時間（２秒）以内に、前回と同じキーから出力された信号を入力した場合には、その信号を受け付け、炊飯器の状態を変更する。さらに、その後第３の所定時間（１分）以内に、蓋４６上面にある操作手段４３から出力された信号を入力した場合には、その信号を受け付け、炊飯器の状態を変更する。
【００３４】
このように本実施の形態によれば、蓋４６を開けて米と水を入れた鍋３１を炊飯器本体４４内に収納した後、蓋４６を閉めるときに、当然蓋４６の上面前方部を押さえる必要があるが、そのとき、たまたま指が炊飯キー５８にかかってしまっても、炊飯キー５８が押されたことを制御手段３７は受け付けないので炊飯を開始しない。そして、このとき、報知手段４０であるブザー５４で通常の操作音と異なる音で蓋開中の操作であることを認識した上で、メニューを変更させて炊飯を開始したい場合には、第２の所定時間（２秒）以内にメニューキー６４を押すことによりメニューを変更することができ、さらに、第３の所定時間（１分）以内に炊飯キー５８を押すことで、炊飯を開始することができる。
【００３５】
したがって、蓋４６の上面前方に操作手段４３があっても、蓋４６を閉める際に誤って操作手段４３を押してしまっても誤操作を防止することができるとともに、蓋４６が開いているとき、あるいは蓋４６を閉める際の操作であったことを認識した上で、使用者が操作をする場合には第２の所定時間（２秒）以内にキーを押すことにより、その操作を受け付けることができ、さらに第３の所定時間（１分）以内に続けてキーを押すことにより、その操作を受け付けることができる。
【００３６】
また、第２の所定時間、第３の所定時間の制限を設けることで、次回の炊飯開始時など蓋開閉を含めた操作の際に誤って操作するのを防止することができる。
【００３７】
以上のように、本実施の形態においては、制御手段３７は、第２の所定時間（２秒）の間に二度目以降の操作手段４３から出力された信号が入力された場合には、その信号による本来の動作を行った後、第３の所定時間（１分）の間、操作手段４３から出力された信号による本来の動作を行うようにしたので、さらに続けて操作を行う場合にも、余計な報知を行うことなく、その操作に従った動作をすることができる。
【００３８】
なお、本実施の形態では、一度目の操作と二度目の操作を別のキーとしているが、同じキーを操作してもよいのは明らかである。
【００３９】
また、本実施の形態では、三度目の操作までの例を説明しているが、三度目の操作以降も第３の所定時間以内で操作することで、その操作を受け付けるようにしてもよい。
【００４０】
また、本実施の形態では、第２の所定時間は２秒で一定としているが、操作手段４３の特定の操作、例えば、保温キー６０を１０秒押し続けることで、制御手段３７は第２の所定時間を５秒に変更できるようにしてもよく、また、第３の所定時間は１分で一定としているが、操作手段４３の特定の操作、例えば、取り消しキー６１を１０秒押し続けることで、制御手段３７は第３の所定時間を２分に変更できるようにしてもよい。これにより、第２の所定時間、第３の所定時間の少なくともいずれかを変更することで、より使用者の好みや実態にあった状態に設定することができる。
【００４１】
また、保温キー６０、取り消しキー６１は蓋４６の上面前方に配置しているが、蓋４６以外の炊飯器本体４４の前方側面に設けてもよい。
【００４２】
（実施の形態３）
図１に示す制御手段３７は、蓋開閉検知手段３６から蓋４６が開いた状態である出力信号を入力しているときと、蓋４６が閉じた状態である出力信号を入力してから第１の所定時間（例えば、０．３秒）の間、操作手段４３から出力された信号を入力しても、その信号による本来の動作を行わずに受け付けない旨を報知手段４０により報知するとともに、操作手段４３を特定の操作を行った場合は、特定の操作を行った後、第４の所定時間（例えば、１分）の間、操作手段４３から出力された信号で本来の動作を行うよう構成している。他の構成は上記実施の形態１と同じである。
【００４３】
上記構成において動作を説明する。制御手段３７は、蓋開閉検知手段３６であるフロート検知部５７から蓋４６が開いた状態である出力信号を入力しているときと、閉じた状態である出力信号を入力してから第１の所定時間（０．３秒）以内のときは、蓋４６上面にある操作手段４３である炊飯キー５８と、予約キー５９と、保温キー６０と、取り消しキー６１と、保温コースキー６２と、新米度キー６３と、メニューキー６４と、時キー６５および分キー６６から出力された信号を入力してもその信号を受け付けずに炊飯器の状態を変更せず、報知手段４０であるブザー５４で通常の操作音と異なる音で蓋開中の操作であることを報知する。また、蓋開中に通常の操作でない特定の操作、例えば、新米度キー
６３とメニューキー６４を同時に操作した後、第４の所定時間（１分）以内に蓋４６上面にある操作手段４３から出力された信号を入力した場合には、その信号を受け付け、炊飯器の状態を変更する。
【００４４】
このように本実施の形態によれば、蓋４６を開けて米と水を入れた鍋３１を炊飯器本体４４内に収納した後蓋４６を閉めるときに、当然蓋４６の上面前方部を押さえる必要があるが、そのとき、たまたま指が炊飯キー５８にかかってしまっても、炊飯キー５８が押されたことを制御手段３７は受け付けないので炊飯を開始せず、このとき報知手段４０であるブザー５４で通常の操作音と異なる音で蓋開中の操作であることを認識することができる。そして、初めから蓋開中であることを意識して、蓋開中に通常でない特定の操作、例えば、新米度キー６３とメニューキー６４を同時に操作した後、炊飯キー５８を押すことで、蓋開中であることを報知する報知手段４０であるブザー５４で通常の操作音と異なる音で報知することなく、炊飯を開始することができる。
【００４５】
したがって、蓋４６の上面前方に操作手段４３があっても、蓋４６を閉める際に誤って操作手段４３を押してしまっても誤操作を防止することができるとともに、最初から蓋開中、あるいは蓋４６を閉める操作であることを認識した上で、操作する場合には、音による余計な報知を行うことなく、操作することができる。
【００４６】
以上のように、本実施の形態においては、制御手段３７は、蓋開閉検知手段３６から蓋４６が開いた状態である出力信号を入力しているときと、蓋４６が閉じた状態である出力信号を入力してから第１の所定時間（０．３秒）の間、操作手段４３から出力された信号を入力しても、その信号による本来の動作を行わずに受け付けない旨を報知手段４０により報知するとともに、操作手段４３を特定の操作を行った場合は、特定の操作を行った後、第４の所定時間（１分）の間、操作手段４３から出力された信号で本来の動作を行うよう構成したので、蓋開閉検知手段３６から蓋４６が開いた状態である出力信号を入力しているときと、蓋４６が閉じた状態である出力信号を入力してから第１の所定時間（０．３秒）の間、操作手段４３から出力された信号を入力してもその信号による本来の動作を行わずに受け付けない旨を報知手段４０により報知するとともに、蓋開中に使用者が初めから意図して常の操作でない特定の操作をした後、第４の所定時間（１分）以内に操作手段４３から出力された信号を入力した場合には、音による余計な報知を行うことなく、その操作に従った動作をすることができる。
【００４７】
なお、本実施の形態では、特定の操作として新米度キー６３とメニューキー６４を同時に押すようにしているが、特定の順序で押すとか、炊飯前、炊飯中、保温中など状態に応じて、特定の操作を変えるようにしてもよいし、第４の所定時間も変えるようにしてもよい。
【００４８】
また、本実施の形態では、特定の操作として、蓋４６に配置された操作手段４３の操作としているが、蓋４６以外に配置された第２の操作手段（図示せず）でもよいし、両方の操作手段を操作するようにしてもよく、同様の作用、効果を得ることができる。
【００４９】
また、本実施の形態では、第１の所定時間は０．３秒で一定としているが、操作手段４３の特定の操作、例えば、予約キー５９を１０秒押し続けることで、制御手段３７は第１の所定時間を０．５秒に変更できるようにしてもよく、また、第４の所定時間は１分で一定としているが、操作手段４３の特定の操作、例えば、保温コースキー６２を１０秒押し続けることで、制御手段３７は第４の所定時間を３０秒に変更できるようにしてもよい。ここで、第４の所定時間を３０秒と１分の２段階としたが、３段階以上としてもよく、０秒を選択できるようにして機能が働かないようにすることを選択できるようにしてもよい。これにより、第１の所定時間、第４の所定時間の少なくともいずれかを変更することで
、より使用者の好みや実態にあった状態に設定することができる。
【産業上の利用可能性】
【００５０】
以上のように、本発明にかかる炊飯器は、蓋開中および蓋閉操作時に誤って操作手段が操作されるのを防止することができるとともに、使用者が意図して操作手段を操作する際には余計な報知を行うことなく、操作を受け付けるようにできるので、炊飯器本体の上部を覆う蓋の開閉検知機能を有する炊飯器として有用である。
【図面の簡単な説明】
【００５１】
【図１】本発明の実施の形態１における炊飯器のブロック図
【図２】同炊飯器の断面図
【図３】同炊飯器の蓋の要部拡大上面図
【図４】同炊飯器の蓋開閉検知手段の拡大断面図
【符号の説明】
【００５２】
３１  鍋
３３  加熱手段
３６  蓋開閉検知手段
３７  制御手段
４０  報知手段
４３  操作手段
４４  炊飯器本体
４６  蓋
【図１】
2010194019.tif 000003
【図２】
2010194019.tif 000004
【図３】
2010194019.tif 000005
【図４】
2010194019.tif 000006